(57)【要約】【課題】従来、医療情報の携帯には、おくすり手帳などの紙に書いたものを使用しているが、他医療機関での新規受診時に持参しないことが多く、特に高齢者においては多数の投薬を受けているため情報の整理ができていない場合が発生している。更に、緊急時においても手当する側に患者の既往症や投薬状況等が不明のため誤った処置を施す危険性もある。また、痴呆症等による徘徊者を保護した場合の家族への連絡が早急にできない。【解決手段】上記問題を解決するため本発明の情報携帯用ロケットペンダント型携帯容器に、医療機関等がマイクロＳＤに入力した情報を常に保管しておけば、必要によってマイクロＳＤを取出しパソコン等に挿入して全ての情報を正確に確認できる。当然、患者の住所、連絡先等の個人情報も記載されており、医療処置以外でも遅滞なく適切に対応可能である。【選択図】図１
2016009480.tif 000002
【特許請求の範囲】
【請求項１】
マイクロＳＤカードに記録された個人情報、医療情報を常時携帯するための樹脂製ロケットペンダント型携帯容器。
【請求項２】
静電気対策および防水対策を施したロケットペンダントである請求項１の携帯容器。
【発明の詳細な説明】
【技術分野】
【０００１】  本発明は、医療、投薬情報を含む個人情報をインプットしたマイクロＳＤを常時携帯するためのロケットペンダントに関するものである。
【背景技術】
【０００２】  従来、医療機関や処方箋薬局から投薬された薬の名称や簡単な説明等はおくすり手帳なる書面により患者に渡され、患者は新たな診療を受ける場合等はこの書面を持参して現在の使用薬品名を提示する必要があった。
【先行技術文献】
【特許文献】
【０００３】
【特許文献１】特開  ２０１３−１０６７６９号公報
【発明の概要】
【発明が解決しようとする課題】
【０００４】  従来、おくすり手帳などの書面は、他医療機関での新規受診時等に忘れて持参ないことが多く、特に高齢者においては多数の投薬を受けているため情報の整理ができていない場合が発生している。更に、緊急時においても手当する側に患者の既往症や投薬状況等が不明のため誤った処置を施す危険性もある。また、痴呆症等による徘徊者を保護した場合の家族への連絡が早急にできない。
本発明は以上の問題を解決するものである。【０００５】  特許文献１に示した発明は、お守り用ロケットペンダントとして携帯用容器を提供しているが、洋服の上に身に着ける装飾性を主眼においているため具体的な防水対策の記載がなく、本発明の目的とは相違する。
【課題を解決するための手段】
【０００６】  上記課題を解決するため本発明は、マイクロＳＤカード（５）に記録された個人情報、医療情報を携帯するため、筐体（１）に複数のマイクロＳＤカード保管爪（４）と防水用オーリング（３）を有する。【０００７】  また、防水性の向上を目的に嵌合用めす部（６）および嵌合用おす部（７）を有する。【０００８】  更に、電子材料の大敵である静電気障害を防止するため、携帯容器は静電気防止タイププラスチックで作成する。
以上の構成よりなる情報携帯用ロケットペンダント型携帯容器。
【発明の効果】
【０００９】  本発明のロケットペンダント型携帯容器は、医療情報等を記録したマイクロＳＤカード（５）を水、湿度および静電気から保護する構造のため入浴時を含め常時携帯することが可能であり、医療担当者に正確な情報を提供する有効な手段となる。【００１０】  防水タイプのロケットペンダントには一般的に円筒形のものが市販されているが、かさばる点および外部からの圧迫等が発生した場合に身体を損傷する恐れがあるため、本発明の形状が効果的である。【００１１】  更に、徘徊等で保護した認知症患者の情報を医療機関に提供できるようになり、本人および家族等の関係者と早急な連絡が取れ十分に満足いくものである。
【図面の簡単な説明】
【図１】ロケットペンダント型携帯容器開放図
【図２】ロケットペンダント型携帯容器閉時表面図
【図３】嵌合部拡大図
【図４】嵌合部嵌合時拡大立面図
【図５】ロケットペンダント型携帯容器裏面図
【図６】吊り紐挿入用バネ部拡大図
【発明を実施するための形態】
【００１２】  本発明容器は、静電気防止樹脂で成形した筐体（１）に、防水性、耐湿性を備えた構造を具備するように作成されたロケットペンダント型携帯容器であり以下の部材で構成する。
【００１３】（イ）筐体（１）は静電気防止ポリプロピレン、静電気防止高密度ポリエチレン、静電気防止塩化ビニール、静電気防止ポリカーボネート等が好適である。
（ロ）防水性、耐湿性を確保する目的で、筐体（１）の収納側にオーリング（３）を溝に埋込み、筐体（１）の蓋内側（２）とでシールする。
（ハ）更に、筐体（１）に付属の中肉厚折り曲げ部（９）を折り曲げ、嵌合用めす部（６）の薄肉厚部（８）が嵌合用おす部（７）と密着する構造とする。
（ニ）筐体（１）の収納側中心部にマイクロＳＤカード（５）を保持するＳＤカード保管爪（４）を複数箇所有する。
（ホ）通し穴（１５）は筐体（１）と一体成形して、ロケットペンダントを正面方向に向けるための吊り環（１６）を設置する。
（ヘ）筐体（１）の蓋外側（１０）には、例えば、医療情報等の案内表示（１２）を盛り上げ成形する。
（ト）筐体（１）の裏側部（１３）には所有者の名前を記入するために、長方形しぼ部（１４）を成形する。
（チ）吊り環（１６）は、図６に示すバネ部（１７）構造とする。
（リ）筐体（１）の開閉は中肉厚のヒンジ部（１１）の折り曲げ柔軟部の可動で行う。
本発明は以上のような構造である。
【００１３】本発明の使用方法を詳しく説明する。
（１）医療機関または処方箋薬局（以下、医療機関等とする）は医療情報を記録したマイクロＳＤカード（５）を本発明品のマイクロＳＤカード保管爪（４）内に入れる。
（２）医療機関等は、嵌合用めす部（６）と嵌合用おす部（７）を確実に嵌合させ、患者に手渡す。
（３）患者または世話人は、吊り環（１６）のバネ部（１７）を開いて吊りひもに通し、着衣の内側に内包する。本発明品の筐体（１）は肌に接触しても金属アレルギーを発生しないよう樹脂で制作されている。
（４）患者または世話人は筐体（１）の裏側部（１３）にある長方形しぼ部（１４）に油性ペン等で名前を記載する。
（５）患者は医療機関等の要請があった場合は、ロケットペンダントを吊り紐から外して手渡す。
（６）医療機関は、患者の緊急時または痴呆症等により患者自身がロケットペンダントを外せないと判断した場合は、紐から外して使用することができる。
（７）ロケットペンダントは重要情報の携帯容器であるため、損傷がなくても、医療期間等の指示により一定期間内、ほぼ２年間程度で更新する。
【符号の説明】
【００１２】１    筐体
２    蓋内側
３    オーリング
４    マイクロＳＤカード保管爪
５    マイクロＳＤカード
６    嵌合用めす部
７    嵌合用おす部
８    薄肉部
９    中肉折り曲げ部
１０  蓋外側
１１  ヒンジ部
１２  案内表示
１３  裏側部
１４  長方形しぼ部
１５  通し穴
１６  吊り環
１７  バネ部
【図１】
2016009480.tif 000003
【図２】
2016009480.tif 000004
【図３】
2016009480.tif 000005
【図４】
2016009480.tif 000006
【図５】
2016009480.tif 000007
【図６】
2016009480.tif 000008